(57)【要約】  本発明は、知覚者に図形または文字で特定情報を提供する標識に係り、前記目的を達成するための本発明の３Ｄ立体効果標識の製造方法は、特定情報を持つ図形または文字をデザインする段階。一つ以上の消失点を備えて前記図形または文字に量感を与える段階、前記量感が与えられた図形または文字が基準距離に位置する知覚者の目に映る投影の高さを設定する段階、前記投影の高さに対応して前記量感が与えられた図形または文字の印刷の長さを設定する段階、前記量感が与えられた図形または文字の印刷の幅を設定する段階、前記印刷の長さ及び前記印刷の幅に対応するように前記量感が与えられた図形または文字の道と幅を比例的に調整する段階を含む。
2019525045.tif 000002
【特許請求の範囲】
【請求項１】
特定情報を持つ図形または文字をデザインする段階；
一つ以上の消失点を備えて前記図形または文字に量感を与える段階；
前記量感が与えられた図形または文字が基準距離に位置する知覚者の目に映る投影の高さを設定する段階；
前記投影の高さに対応して前記量感が与えられた図形または文字の印刷の長さを設定する段階；
前記量感が与えられた図形または文字の印刷の幅を設定する段階；及び
前記印刷の長さ及び前記印刷の幅に対応するように前記量感が与えられた図形または文字の長さと幅を比例的に調整する段階；
を含む３Ｄ立体効果標識の製造方法。
【請求項２】
前記３Ｄ立体効果標識は、前記知覚者の視線の斜線に備えられ、前記消失点は、前記斜線に対して両側に一つずつ備えられる請求項１に記載の３Ｄ立体効果標識の製造方法。
【請求項３】
前記図形または文字に与えられた前記量感は、色彩遠近を備えることを特徴とする請求項１に記載の３Ｄ立体効果標識の製造方法。
【請求項４】
請求項１に記載の３Ｄ立体効果標識の製造方法によって製造された３Ｄ立体効果標識。
【請求項５】
請求項４に記載の３Ｄ立体効果標識を備える滑り止め包装組立体。
【請求項６】
請求項４に記載の３Ｄ立体効果標識を備えるステッカー。
【発明の詳細な説明】
【技術分野】
【０００１】
本発明は、知覚者に特定情報を提供する標識に係り、より詳しくは、知覚者の目に立体的に映って視認性が向上される３Ｄ立体効果標識に関する。
【背景技術】
【０００２】
道路には多くの情報が備えられている。このような情報は、知覚者に特定情報を案内したり、警告を提供して行為を促す役目をする。一般に、標識は指示内容を知覚者に明確に読ませるために、道路と垂直して設けられる。
【０００３】
しかし、標識を立てにくい環境として余裕空間が足りないトンネル区間、狭い通路、高速道路の防音壁設置区間などに道路と垂直に標識を設けるためには、余った空間を作らなければならないので、別途の工事費用が追加される。
【０００４】
それだけでなく、道路に備えられた突出された物体は、動く自動車や知覚者にとって衝突の危険がある要素であるため、道路には最大限に突出された物体を設けないことが好ましい。
【０００５】
前記のように、空間的問題、衝突の危険等で標識を立てにくい環境では、やむを得なく知覚者の視線範囲から脱する区域に標識を設けることになるし、これによって知覚者に容易に認識されない。
【０００６】
したがって、このような問題点を解決するために、標識が設けられるために必要な空間を最小化して、工事費を節減しながらも視認性を高めるための方法が求められる。
【発明の概要】
【発明が解決しようとする課題】
【０００７】
本発明は、上述した従来技術の問題点を解決するために案出された発明であって、
知覚者の目に３次元立体で映って、視認性の高い３Ｄ立体効果標識を提供するためである。
【０００８】
また、狭い道路で突出される構造物を無くすことによって、安全な３Ｄ立体効果標識を提供するためである。
【０００９】
また、狭い道路で突出される構造物の突出部の高さを最小化することによって、安全な３Ｄ立体効果標識を提供するためである。
【００１０】
また、３Ｄ立体効果標識の製造方法を提供するためである。
【００１１】
また、３Ｄ立体効果標識が備えられた滑り止め包装組立体を提供するためである。
【００１２】
また、３Ｄ立体効果標識が備えられたステッカーを提供するためである。
【００１３】
本発明の課題は、以上で言及した課題に制限されず、言及されていない別の課題は以下の記載から当業者に明確に理解される。
【課題を解決するための手段】
【００１４】
前記目的を達成するための本発明の３Ｄ立体効果標識の製造方法は、特定情報を持つ図形または文字をデザインする段階。一つ以上の消失点を備えて前記図形または文字に量感（ｖｏｌｕｍｅ）を与える段階、前記量感が与えられた図形または文字が基準距離に位置する知覚者の目に映る投影の高さを設定する段階、前記投影の高さに対応して前記量感が与えられた図形または文字の印刷の長さを設定する段階、前記量感が与えられた図形または文字の印刷の幅を設定する段階、前記印刷の長さ及び前記印刷の幅に対応するように前記量感が与えられた図形または文字の長さと幅を比例的に調整する段階を含む。
【００１５】
そして、前記３Ｄ立体効果標識は、前記知覚者の視線の斜線に備えられ、前記消失点は前記斜線に対して両側に一つずつ備えられる。
【００１６】
そして、図形または文字に与えられた前記量感は色彩遠近を備える。
【００１７】
そして、前記３Ｄ立体効果標識の製造方法に３Ｄ立体効果標識が製造されてもよい。
【００１８】
そして、滑り止め包装組立体は、前記３Ｄ立体効果標識を備えてもよい。
【００１９】
そして、ステッカーは前記３Ｄ立体効果標識を備えてもよい。
【発明の効果】
【００２０】
前記課題を解決するための本発明の製造方法と、これを通して製造された３Ｄ立体効果標識は、次のような効果がある。
【００２１】
第一、知覚者の目には、道路に垂直に突出された形態で立体的に映って視認性が高い。
【００２２】
第二、余裕空間の狭い道路で突出される構造物を無くし、衝突の危険を無くすことによって通行が安全になる。
【００２３】
第三、美術館またはカフェの入口のように、流動人口が多い区域に備えて通行する知覚者の興味を引き起こし、警戒心を抱かせることができる。
【００２４】
本発明の効果は以上で言及した効果に制限されず、言及されていない別の効果は、請求範囲の記載から当業者に明確に理解される。
【図面の簡単な説明】
【００２５】
【図１】本発明の第１実施例による３Ｄ立体効果標識１００の視覚的効果を示す図面；
【図２】本発明の第１実施例による３Ｄ立体効果標識１００に進入する知覚者１０と、標識１００との距離による印刷の幅Ｓと印刷の長さＹの関係を説明するための図面；
【図３】本発明の第１実施例による３Ｄ立体効果標識１００に進入する知覚者１０と、標識１００との距離による印刷の幅Ｓと印刷の長さＹの関係を説明するための図面；
【図４】本発明の第１実施例による３Ｄ立体効果標識１００の例示を図示した平面図；
【図５】本発明の第２実施例による標識２００が知覚者の目に映った模様を示す図面；
【図６】本発明の第２実施例による３Ｄ立体効果標識２００の印刷例を図示した平面図；
【図７】本発明の第３実施例による標識３００の知覚者３０の目に映った模様を示す図面；
【図８】本発明の第３実施例による３Ｄ立体効果標識３００の印刷例を図示した平面図；
【図９】本発明の第４実施例による標識４００の知覚者４０の目に映った模様を示す図面
【図１０】本発明の第４実施例による３Ｄ立体効果標識４００の投影の高さＥを説明するための図面；
【図１１】本発明の第４実施例による３Ｄ立体効果標識４００の印刷例を図示した平面図；
【図１２】本発明の第５実施例による３Ｄ立体効果標識５００を利用した選挙ポスターを図示した図面；
【図１３】本発明の第６実施例による３Ｄ立体効果標識６００を利用した看板ポスターを図示した図面；
【図１４】本発明の実施例による３Ｄ立体効果標識を製造する方法を示すフローチャート；
【図１５】本発明の第１実施例による３Ｄ立体効果標識を備える滑り止め包装組立体５００を示す図面である。
【発明を実施するための形態】
【００２６】
以下、本発明の目的が具体的に実現できる本発明の好ましい実施例を添付の図面を参照して説明する。本実施例を説明するにあたり、同一構成に対しては同一名称及び同一符号が使われ、これによる付加的説明は省略する。
【００２７】
図１を参照して本発明の第１実施例による３Ｄ立体効果標識１００の視覚的効果を説明すると、次のとおりである。
【００２８】
本発明の第１実施例による３Ｄ立体効果標識１００は、道路の表面、道路区間の壁体、トンネル区間の天井などに備えられ、標識１００が備えられた区間の道路に進入する知覚者（１０；運転者）に図形または文字で特定情報を提供する。特定情報とは、道路名、主要拠点の車に案内などの各種案内文句または過速警告、居眠り運転注意警告、安全距離確保警告、禁煙標識のような警告になることができるし、ポスターで選挙時に提供される選挙人に対する情報になることがある。
【００２９】
本発明の第１実施例による３Ｄ立体効果標識１００を製造するために、特定情報を持つ文字１０１をデザインする段階を含む。第１実施例による特定情報は文字１０１であるが、特定情報は文字１０１ではない図形になってもよい（図５の第２実施例参照）。デザインされた文字１０１は、知覚者１０の目に映る形象であって、実際印刷する文字の形象（１０５、図４参照）は、以下で説明する仮想のグリッド１１０に比例するように調整された形象である。
【００３０】
そして、文字１０１に量感１０２を与える。量感１０１は、デザインされた文字１０１が平面的形象の２Ｄではなく、体積を持つ塊の３Ｄ形象と感じられるようにする。
【００３１】
量感１０２を与えるために特定位置に消失点ｖｐを設定する。美術及び建築施設物の鳥瞰図などでよく２次元平面に３次元を表現するために透視図法を使うが、１点、２点、３点、それ以上の消失点を利用している。本発明の第１実施例では消失点ｖｐを一つで表現し、発明の実施例によって消失点は二つ以上であってもよい（図７の第３実施例参照）。
【００３２】
設定された消失点ｖｐを利用して文字１０１に量感１０２を与える。本発明の第１実施例は一つの消失点ｖｐが備えられるので、１点透視を適用する。量感１０２は、３Ｄ立体効果標識１００に立体感を与えることで視認性を高めることができる。また、知覚者１０が標識１００が立体的に突出されていると認知するので、道路に設けられる場合、ドライバーである知覚者１０が運転中の車両の速度を減少する効果がある。
【００３３】
図形または文字に与えられた量感１０２は、色彩遠近をさらに備える。色彩遠近は、消失点ｖｐに近くなるほど彩度が低くなる。色彩遠近は、量感１０２にさらに立体感を与えて視認性を高める効果がある。
【００３４】
そして、知覚者の目が位置する高さＡで、知覚者の目に映る標識の最上端地点Ｈ１から最下端地点Ｌ１に至る投影の高さＢを設定する。投影の高さＢは、本発明の第１実施例では、標識の最上端地点Ｈ１から最下端地点Ｌ１までの高さであるが、もし、標識が側壁に備えられれば、投影の高さＢは標識の一側から他側に至る距離を意味する。
【００３５】
図２をさらに参照して説明する。一般に、乗用車の運転席に着席した知覚者の目の高さＡ、及び標識１００から知覚者までの基準距離Ｘを利用して、数式（１）の三角形の相似条件にしたがって、適正投影高さＢに対応する投影の高さＢで投影されるための実際の印刷の長さＹを得られる。実際の印刷の長さＹは、仮想のグリッド１１０の近い辺から遠い辺の離間距離を意味する。
【００３６】
Ｘ：Ａ＝Ｙ：Ｂ      （１）
投影の高さＢを０．３９ｍ、乗用車に乗った知覚者の目の高さＡを１．３ｍと仮定し、Ｘ値を１５ｍ、２０ｍ、２５ｍ、３０ｍと整理してみると、以下の表１のとおりである。
【００３７】
【表１】
2019525045.tif 000003
投影の高さＢを０．３９ｍ、道路を歩く知覚者の目の高さＡを１．６ｍと仮定し、Ｘ値を１５ｍ、２０ｍ、２５ｍ、３０ｍと整理して見ると、以下の表２のとおりである。
【００３８】
【表２】
2019525045.tif 000004
そして、垂直に立っているかのように見せるための錯視効果印刷の幅Ｓを図３を参照して説明すれば、数式（２）によって求められる。
【００３９】
ｔａｎ（θ／２）＝（Ｓ／２）／Ｘ
Ｘ*ｔａｎ（θ／２）＝Ｓ／２            （２）
すなわち、Ｘが大きいほどＳも大きくならなければならない。そして、数式（３）を通してＡが１．３ｍである時、近い辺の印刷の幅Ｓ１を１０ｃｍと仮定して遠い辺の印刷の幅Ｓ２を計算すると、表３のとおりである。近い辺は文字または図形が備えられる仮想のグリッド１１０から知覚者と近い方の辺であり、遠い辺は知覚者から遠い方の辺である。
【００４０】
Ｘ−Ｙ：Ｓ１＝Ｘ：Ｓ２      （３）
【００４１】
【表３】
2019525045.tif 000005
表３のように、Ｙ値に構わず、全ての場合が１４．２２８５ｃｍと同一である。よって、同じ広さに見える文字または図形の近い辺に対する遠い辺の長さは、知覚者と標識の間の距離と関係ないことが分かるし、１０ｃｍ対比１４．２２８５ｃｍであるため、１．４２８５倍となる。つまり、垂直に見せるためには、近い辺に対して遠い辺の長さが１．４２８５倍となると垂直に見える。
【００４２】
そして、数式（３）を通してＡが１．６ｍである時、近い辺の印刷の幅Ｓ１を１０ｃｍと仮定して遠い辺の印刷の幅Ｓ２を計算すれば、表４のとおりである。
【００４３】
【表４】
2019525045.tif 000006
Ｓ１とＳ２は、１．３２２３倍で逆台形が形成されれば、知覚者の目の高さが１．６ｍである時は、０．３９ｍ高さの３Ｄ立体効果が形成される。
【００４４】
知覚者の目の高さＡは、異なることがあるので、前記値によれば、Ａ＝１．３ｍの時１．４２８５倍、Ａ＝１．６ｍの時１．３２２３倍なので、知覚者の目の高さＡによって遠い辺と近い辺の割合が異なるように形成される。しかし、知覚者の平均的目の高さに入ってくれば、完全な垂直立体文字または図形が錯視で見えなくても、ほぼ類似に認識される。
【００４５】
仮想のグリッド１１０は逆台形からなる。仮想のグリッドがなす逆台形の高さは、印刷の長さＹ、長い辺は遠い辺、短い辺は近い辺になる。
【００４６】
量感１０２が与えられてデザインされた文字１０１（児童保護区域の意味）は、仮想のグリッド１１０上に載せられ、仮想のグリッド１１０に対応するように印刷の長さＹに合わせて比例して長さを長くし、印刷の幅Ｓ１、Ｓ２に合わせて比例して幅を広くしたり狭くする。仮想のグリッドに対応して修正されてデザインされた文字は、実際の印刷文字１０５（児童保護区域の意味）となる。
【００４７】
図５及び図６を参照して、本発明の第２実施例を説明する。
【００４８】
図５は、本発明の第２実施例による標識２００が知覚者（図示せず）の目に投影された模様を示す図面である。知覚者の目に図５のように投影されるためには、図６の逆台形の仮想のグリッド２１０に対応して量感２０２を与えた、デザインされた図形２０１の長さと幅を比例して伸ばしたり縮めて修正する。
【００４９】
図７及び図８を参照して本発明の第３実施例を説明する。
【００５０】
図７は、本発明の第３実施例による標識３００（児童保護区域の意味）が知覚者の目に投影された模様を示す図面である。標識３００は、２つの消失点を有する。標識３００は、知覚者３０の斜線に備えられる。
【００５１】
物体を斜めに見た時、つまり、斜線で見た時、その斜線の両側に消失点があって、最大３つの面が見える。回転区間などの道路では、知覚者の進行方向から見て道路は続いて斜線方向に進めるので、標識３００は知覚者の斜線に備えられる。斜線に備えられた標識３００に対し、その斜線に対して両側に２つの消失点ｖｐ１、ｖｐ２を備える。
【００５２】
２つの消失点ｖｐ１、ｖｐ２を備えることによって、標識３００は斜線で見たように、立体的に突出された錯視効果を見せるので、進行方向に対して方向性を感じることができるし、３次元的空間感が雄壮に感じられ、量感３０２によって与えられた遠近が感じられる立体感で視認性が高い。
【００５３】
知覚者の目に図７のように投影されるためには、第１実施例での方法と同様、図８の逆台形の仮想のグリッド３１０（児童保護区域の意味）に対応して量感３０２を与えた、デザインされた図形３０１を修正する。
【００５４】
図９ないし図１１を参照して、本発明の第４実施例を説明する。
【００５５】
図９は、本発明の第４実施例による標識４００（テヘラン路の意味）が知覚者４０の目に投影された模様を示す図面である。本発明の第４実施例による標識４００は、トンネル４１区間の天井表面に付着されて備えられる。
【００５６】
３Ｄ立体効果標識４００は、トンネルの天井区間、狭い道路、歩道橋の下部表面などに備えられることで別途余剰空間を必要としないので、工事費を節減し、垂直に突出された標識を備えないことにより、もっと広い道路空間を提供することができる。
【００５７】
図１０は、本発明の第４実施例による３Ｄ立体効果標識４００の投影の高さＥを説明するための図面である。図１０を参照すれば、知覚者の目の高さＡ、トンネル４１の高さＴ、知覚者と標識４００の間の基準距離Ｘ、知覚者の目と標識４００との間の距離Ｌ、標識４００の遠い辺と知覚者の目が成す角度ａ、標識４００の近い辺と知覚者の目が成す角度ａ＋ｂ、標識の印刷の長さＹを示す。
【００５８】
図１０を通して、Ａ、Ｔ、Ｘ、Ｙの関係を導き出すと、数式（４）のとおりである。
【００５９】
【数１】
2019525045.tif 000007
数式（４）から分かるように、印刷の長さＹは、知覚者と標識との基準距離Ｘが長くなるにつれ、大きくならなければならない。
【００６０】
印刷の幅は、本発明の第１実施例による印刷の幅を求める方法と同一である。
【００６１】
本発明の第４実施例による標識４００は、文字４０５（地名テヘラン路の意味）の上部が近い辺に備えられる。知覚者４０より上部に備えられた標識４００は、知覚者４０が段々近付くほど遠い辺が下へ降りる。これは本発明の第１実施例による標識１００の文字１０５の上部が遠い辺に備えられることと異なる。
【００６２】
本発明の実施例による３Ｄ立体効果標識は、基準距離Ｘより遠い所に位置する知覚者４０が標識を眺める時、標識が付着された表面に付いているものと認識され、知覚者４０が基準距離Ｘで段々標識と近くなることにつれ、標識が徐々に垂直に突出する形態で認識される。そして、基準距離Ｘを通って標識にもっと近くなることによって、標識は再び付着された表面に付いているものと認識される。
【００６３】
前記のように、３Ｄ立体効果標識は、知覚者の動きによって標識が徐々に垂直に突出され、動感に溢れたように動くものと感じられ、視認性を向上し、警戒心をもたらすことができる。また、突出される形態で投影される効果により、ドライバーの過速や眠気を防止する効果がある。
【００６４】
図１２は、本発明の第５実施例による３Ｄ立体効果標識５００を利用した選挙ポスターを図示した図面である。図１２のａは、選挙ポスターの正面図で、ｂは知覚者が位置した角度で知覚者の目に映る選挙ポスターを図示したものである。図１２のように、選挙ポスターに適用され、知覚者が距離を通る時、記号または名前を立体的に見せて興味を集中させることができる。
【００６５】
図１３は、本発明の第６実施例による３Ｄ立体効果標識６００を利用した看板ポスターを図示した図面である。図１３のａは、看板ポスター（ペク内科医院の意味）が付着された建物の正面図で、ｂは知覚者の目に投影された建物の斜視図である。図１３のように、建物の一面に看板ポスターを付着して一面の側面に知覚者が位置する時、知覚者の目に看板ポスターが立体的に見えるようにすることができる。
【００６６】
前記３Ｄ立体効果標識を製造する方法をフローチャートで図示すれば、図１４のとおりである。
【００６７】
図１４を参照すれば、伝達しようとする特定情報が内在された文字または図形をデザインし（Ｓ１００）、デザインされた文字または図形に一つ以上の消失点を備えて透視図法にしたがって量感を与える（Ｓ１１０）。一つの消失点を備えると１点透視、二つの消失点を備えると２点透視、三つの消失点を備えると３点透視にしたがい、それ以上になる場合は、多点透視を適用する。
【００６８】
量感付与段階で量感が与えられた文字または図形に色彩遠近を与える（Ｓ１２０）。色彩遠近は、消失点に近づくほど彩度が低くなることがある。または、消失点に近づくほど、淡くて曇ることである。または、赤色を文字または字の近くに、青色は消失点の近くに適用されてもよい。
【００６９】
Ａ、Ｂ、Ｘ値を設定し（Ｓ１３０）、ＹとＳ１、Ｓ２の比例値を導き出して（Ｓ１４０）、色彩遠近が与えられた文字または図形をＳ２値に対応するように幅を調整した後、Ｓ１値を比例して縮小（Ｓ１５０）する。そして、Ｙ値に対応して文字または図形の印刷の長さを拡張または縮小（Ｓ１６０）する段階を通して本発明の実施例による３Ｄ立体効果標識が製造される。
【００７０】
本発明の実施例による３Ｄ立体効果標識（児童保護区域の意味）は、備える滑り止め包装組立体に適用されてもよい。図１５を参照すれば、本発明の第１実施例による３Ｄ立体効果標識１００の上層部表面によって粗さを有する凹凸を形成し、滑り止め機能を有する。滑り止め包装組立体５００は、道路に設けられるコンクリートブロック、ゴム材、タイル類などであってもよく、みぞ削り（ｇｒｏｏｖｉｎｇ）またはスズめっき（ｔｉｎｎｉｎｇ）によることもできるので、方法や材質に限定されることではない。
【００７１】
本発明の実施例による３Ｄ立体効果標識は、接着剤を備えることでステッカーになってもよい。
【００７２】
以上のように本発明による好ましい実施例を詳察してみたし、前述した実施例以外も本発明がその趣旨や範疇から脱することなく、他の特定形態で具体化されてもよい事実は、当該技術に通常の知識を有する者には自明なことである。よって、前述した実施例は、制限的なものではなく、例示的なものと思われなければならず、これによって、本発明は前述した説明に限定されずに添付の請求項の範疇及びその同等範囲内で変更されてもよい。
【図１】
2019525045.tif 000008
【図２】
2019525045.tif 000009
【図３】
2019525045.tif 000010
【図４】
2019525045.tif 000011
【図５】
2019525045.tif 000012
【図６】
2019525045.tif 000013
【図７】
2019525045.tif 000014
【図８】
2019525045.tif 000015
【図９】
2019525045.tif 000016
【図１０】
2019525045.tif 000017
【図１１】
2019525045.tif 000018
【図１２（ａ）】
2019525045.tif 000019
【図１２（ｂ）】
2019525045.tif 000020
【図１３（ａ）】
2019525045.tif 000021
【図１３（ｂ）】
2019525045.tif 000022
【図１４】
2019525045.tif 000023
【図１５】
2019525045.tif 000024
【国際調査報告】
2019525045.tif 000025
2019525045.tif 000026
2019525045.tif 000027
2019525045.tif 000028